(57)【要約】      （修正有）【課題】幼稚園に用いるおもちゃの収納箱を提供する。【解決手段】箱体１を含み、箱体の上部に箱蓋２を設置し、箱蓋の前後側面に手ぼじる溝２１１を設置し、箱蓋の底部側面にガードボード２０１を設置し、ガードボードは箱体内の表面と接着し、箱蓋の底部の中に環状カードファスナー３を設置し、環状カードファスナーは開口槽があり、環状カードファスナーの内に消毒ランプ４を配置し、箱蓋の上部に消毒ランプを連結する送電端５を設置し、箱体の前端面の下部に取り出し溝９を設置し、取り出し槽の左右両面に二つのL形のガイド条７を設置し、二つのガイド条の間に取り出し溝を閉鎖するシールプレート８を配置し、シールプレートの上に施力ブロック８１１を設置し、施力ブロックは左右対称に二つがあり、箱体の上部エッジに箱蓋と配合したシール条１１１を設置し、箱体の前端面に何個の異なる形状のおもちゃの投入口１１を設置します。【選択図】図１
0003206191.tif 000002
【実用新案登録請求の範囲】
【請求項１】
おもちゃの収納箱において、
箱体を含み、前記の箱体の上部に箱蓋を設置し、前記の箱蓋の前後側面に手ぼじる溝を設置し、前記の箱蓋の底部側面にガードボードを設置し、前記のガードボードは前記の箱体内の表面と接着し、前記の箱蓋の底部の中に環状カードファスナーを設置し、前記の環状カードファスナーは開口槽があり、前記の環状カードファスナーの内に消毒ランプを配置し、前記の箱蓋の上部に前記の消毒ランプを連結する送電端を設置し、前記の箱体の前端面の下部に取り出し溝を設置し、前記の取り出し溝の左右両面に二つのL形のガイド条を設置し、前記の二つのガイド条の間に前記の取り出し溝を閉鎖するシールプレートを配置し、前記のシールプレートの上に施力ブロックを設置し、前記の施力ブロックは左右対称に二つあり、前記の箱体の上部エッジに前記の箱蓋と配合したシール条を設置し、前記の箱体の前端面に複数の異なる形状のおもちゃの投入口を設置し、前記の箱体の左右両端の上部に端部を設置し、前記の端部にハンドルバーを設置し、前記のハンドルバーは斜めに上に向かい設置される
ことを特徴とするおもちゃの収納箱。
【考案の詳細な説明】
【技術分野】
【０００１】
本発明は一種の幼稚園に用いるおもちゃの収納箱に関する
【背景技術】
【０００２】
幼稚園のおもちゃは共用されるため、すべての子供はおもちゃと直接に接触し、おもちゃの表面で細菌は繁殖しやすく、すぐにおもちゃを消毒しなければ、交差感染を引き起こすことができ、同時に既存技術の中のおもちゃはただ簡単に箱内に放置され、箱内の衛生は保証されることができなく、細菌は繁殖しやすいです。
【考案の概要】
【考案が解決しようとする課題】
【０００３】
本発明は解決する技術問題が一種の幼稚園に用いるおもちゃの収納箱を提供し、本請求は有効におもちゃを収納することができ、収納を完成すると同時に、消毒ランプでおもちゃに消毒し、おもちゃの表面の細菌を減少し、使用の安全性を保障し、交差感染を避け、取り出し溝からおもちゃを取り出しやすく、だから箱体の構造体積は比較的に大きく設計し、多くのおもちゃを装うことができ、設置したシール条は箱蓋と箱体の配合に更に堅固にならせ、複数の異なる形のおもちゃの投入口を設置することにより、違う形状のおもちゃに対応することができ、子供はおもちゃの形状で異なるおもちゃの投入口を選んで投入し、これによって子供の興味を増加し、子供の知能と着手能力を向上し、本請求は構造が比較的に簡単で、コストが比較的に安く、普及に適合する効果を持っています。
【課題を解決するための手段】
【０００４】
上述の問題を解決するために、本発明は次の技術方策を採用する
【０００５】
一種の幼稚園に用いるおもちゃの収納箱で、その特徴について、箱体を含み、前記の箱体の上部に箱蓋を設置し、前記の箱蓋の前後側面に手ぼじる溝を設置し、前記の箱蓋の底部側面にガードボードを設置し、前記のガードボードは前記の箱体内の表面と接着し、前記の箱蓋の底部の中に環状カードファスナーを設置し、前記の環状カードファスナーは開口槽があり、前記の環状カードファスナーの内に消毒ランプを配置し、前記の箱蓋の上部に前記の消毒ランプを連結する送電端を設置し、前記の箱体の前端面の下部に取り出し溝を設置し、前記の取り出し槽の左右両面に二つのL形のガイド条を設置し、前記の二つのガイド条の間に前記の取り出し溝を閉鎖するシールプレートを配置し、前記のシールプレートの上に施力ブロックを設置し、前記の施力ブロックは左右対称に二つがあり、前記の箱体の上部エッジに前記の箱蓋と配合したシール条を設置し、前記の箱体の前端面に何個の異なる形状のおもちゃの投入口を設置し、前記の箱体の左右両端の上部に端部を設置し、前記の端部にハンドルバーを設置し、前記のハンドルバーは斜めに上に向かい設置されます。
【０００６】
最適に、前記のおもちゃの投入口の形状は正方形、三角形と円形です。
【０００７】
最適に、前記のシールプレートと前記の取り出し溝の正面はすべて長方形で、前記のシールプレートの正面面積は前記の取り出し溝より大きいです。
【０００８】
最適に、前記の環状カードファスナーは三つ以上があります。
【０００９】
最適に、前記の箱体の頂部表面積は前記の箱蓋の底部表面積と同じです。
【考案の効果】
【００１０】
本発明は、本請求は有効におもちゃを収納することができ、収納を完成すると同時に、消毒ランプでおもちゃに消毒し、おもちゃの表面の細菌を減少し、使用の安全性を保障し、交差感染を避け、取り出し溝からおもちゃを取り出しやすく、だから箱体の構造体積は比較的に大きく設計し、多くのおもちゃを装うことができ、設置したシール条は箱蓋と箱体の配合に更に堅固にならせ、複数の異なる形のおもちゃの投入口を設置することにより、違う形状のおもちゃに対応することができ、子供はおもちゃの形状で異なるおもちゃの投入口を選んで投入し、これによって子供の興味を増加し、子供の知能と着手能力を向上し、本請求は構造が比較的に簡単で、コストが比較的に安く、普及に適合する効果を持っています。
【図面の簡単な説明】
【００１１】
【図１】本発明の構造図
【考案を実施するための形態】
【００１２】
以下では、付図を結合し本発明の最適な実施例を詳しく述べ、本分野の技術者に更に容易に本発明の長所と特徴を理解させることができ、これによって本発明の保護範囲に対して、もっとはっきりとした明確な限定を作ることができます。
【００１３】
図１に示した一種の幼稚園に用いるおもちゃの収納箱を参照し、箱体1を含み、前記の箱体1の上部に箱蓋2を設置し、前記の箱蓋2の前後側面に手ぼじる溝211を設置し、前記の箱蓋2の底部側面にガードボード201を設置し、前記のガードボード201は前記の箱体1内の表面と接着し、前記の箱蓋2の底部の中に環状カードファスナー3を設置し、前記の環状カードファスナー3は開口槽（構造図はありません）があり、前記の環状カードファスナー3の内に消毒ランプ4を配置し、前記の箱蓋2の上部に前記の消毒ランプ4を連結する送電端5を設置し、前記の箱体1の前端面の下部に取り出し溝9を設置し、前記の取り出し槽9の左右両面に二つのL形のガイド条7を設置し、前記の二つのガイド7の間に前記の取り出し溝9を閉鎖するシールプレート8を配置し、前記のシールプレート8の上に施力ブロック811を設置し、前記の施力ブロック811は左右対称に二つがあり、前記の箱体1の頂上の辺に前記の箱蓋2と組み合わせたシール条111を設置し、前記の箱体1の前端面に何個の異なる形状のおもちゃの投入口11を設置し、前記の箱体1の左右両端の上部に端部121を設置し、前記の端部121にハンドルバー131を設置し、前記のハンドルバー131は斜めに上に向かい設置されます。
【００１４】
本発明で１つの比較的に良い実施例で、前記のおもちゃの投入口11の形状は正方形、三角形と円形などの他の形状です。
【００１５】
本発明で１つの比較的に良い実施例で、前記のシールプレート8と前記の取り出し溝9の正面はすべて長方形で、前記のシールプレート8の正面面積は前記の取り出し溝9より大きいです。
【００１６】
本発明で１つの比較的に良い実施例で、前記の環状カードファスナー3は三つ以上があります。
【００１７】
本発明で１つの比較的に良い実施例で、前記の箱体1の頂部表面積は前記の箱蓋2の底部表面積と同じです。
【００１８】
本発明は、本請求は有効におもちゃを収納することができ、収納を完成すると同時に、消毒ランプでおもちゃに消毒し、おもちゃの表面の細菌を減少し、使用の安全性を保障し、交差感染を避け、取り出し溝からおもちゃを取り出しやすく、だから箱体の構造体積は比較的に大きく設計し、多くのおもちゃを装うことができ、設置したシール条は箱蓋と箱体の配合に更に堅固にならせ、複数の異なる形のおもちゃの投入口を設置することにより、違う形状のおもちゃに対応することができ、子供はおもちゃの形状で異なるおもちゃの投入口を選んで投入し、これによって子供の興味を増加し、子供の知能と着手能力を向上し、本請求は構造が比較的に簡単で、コストが比較的に安く、普及に適合する効果を持っています。
【００１９】
以上は、本発明の基本原理、主要特徴と長所を示し述べます。本業界の技術者は理解すべき、本発明は上記の実施例の制限を受けなく、上記の実施例と説明書で述べたのは、ただ本発明の原理を説明し、本発明の精神と範囲を離れない前提で、本発明はまた各種の変化と改善があり、これらの変化と改善は請求した保護される本発明の範囲に属します。本発明は請求した保護範囲が寄附する権利請求書とその等しい物から決められます。
【図１】
0003206191.tif 000003